(57)【要約】【課題】対象を構成する色を、色材を用いて優れた再現性で調色することができる調合データ作成システムおよび色材選択方法を提供すること。【解決手段】本発明の調合データ作成システムは、測定すべき対象の分光情報を取得する分光計測部と、前記分光計測部の作動を制御する分光計測部制御部と、前記対象の分光情報から前記対象を構成する色のうち第１の色の分光情報を採取した後、前記第１の色の分光情報と、複数の色材の分光情報とを比較して、複数の前記色材のうちの少なくとも１つを選択し、かつ、選択された前記色材の調合量を特定することで、前記第１の色の調色を行う算出処理部と、を備える。【選択図】図５
2020122679.tif 000002
【特許請求の範囲】
【請求項１】
測定すべき対象の分光情報を取得する分光計測部と、
前記分光計測部の作動を制御する分光計測部制御部と、
前記対象の分光情報から前記対象を構成する色のうち第１の色の分光情報を採取した後、前記第１の色の分光情報と、複数の色材の分光情報とを比較して、複数の前記色材のうちの少なくとも１つを選択し、かつ、選択された前記色材の調合量を特定することで、前記第１の色の調色を行う算出処理部と、を備えることを特徴とする調合データ作成システム。
【請求項２】
前記算出処理部は、さらに、前記対象の分光情報から前記対象を構成する複数の色のうち、前記第１の色とは異なる第２の色の分光情報を採取した後、複数の前記色材を用いた前記第２の色の調色を行う請求項１に記載の調合データ作成システム。
【請求項３】
前記対象の分光情報を取得するための条件を入力する入力部を備える請求項１または２に記載の調合データ作成システム。
【請求項４】
前記第１の色を調色するために、選択された前記色材の種類、および、選択された前記色材の調合量を含む情報を表示する表示部を備える請求項１ないし３のいずれか１項に記載の調合データ作成システム。
【請求項５】
前記分光計測部は、さらに、複数の前記色材のうちの少なくとも１つの分光情報を取得する請求項１ないし４のいずれか１項に記載の調合データ作成システム。
【請求項６】
当該調合データ作成システムは、さらに、複数の前記色材のうちの少なくとも１つの分光情報を含むデータベースが予め記憶された記憶部を備える請求項１ないし５のいずれか１項に記載の調合データ作成システム。
【請求項７】
前記色材は、絵の具である請求項１ないし６のいずれか１項に記載の調合データ作成システム。
【請求項８】
当該調合データ作成システムは、情報端末単独で完結しており、
前記情報端末は、前記分光計測部と、前記分光計測部制御部と、前記算出処理部と、を備える請求項１ないし７のいずれか１項に記載の調合データ作成システム。
【請求項９】
当該調合データ作成システムは、情報端末と分光カメラとを有し、
前記情報端末は、前記分光計測部制御部と、前記算出処理部と、を備え、
前記分光カメラは、前記分光計測部を備える請求項１ないし７のいずれか１項に記載の調合データ作成システム。
【請求項１０】
当該調合データ作成システムは、前記分光計測部と、前記分光計測部制御部と、前記算出処理部と、を備える情報端末と、前記情報端末と独立して設けられた外部表示部とを有する請求項１ないし７のいずれか１項に記載の調合データ作成システム。
【請求項１１】
当該調合データ作成システムは、情報端末とサーバーとを有し、
前記情報端末は、前記分光計測部と、前記分光計測部制御部と、前記算出処理部と、を備え、
前記サーバーは、前記記憶部を備える請求項６に記載の調合データ作成システム。
【請求項１２】
当該調合データ作成システムは、情報端末とサーバーとを有し、
前記情報端末は、前記分光計測部と、前記分光計測部制御部と、を備え、
前記サーバーは、前記記憶部と、前記算出処理部と、を備える請求項６に記載の調合データ作成システム。
【請求項１３】
測定すべき対象の分光情報を取得した後、前記対象の分光情報から前記対象を構成する色のうち第１の色の分光情報を採取し、その後、前記第１の色の分光情報と、複数の色材の分光情報とを比較して、複数の前記色材のうちの少なくとも１つを選択し、かつ、選択された前記色材の調合量を特定することで、前記第１の色の調色を行うことを特徴とする色材選択方法。
【発明の詳細な説明】
【技術分野】
【０００１】
本発明は、調合データ作成システムおよび色材選択方法に関するものである。
【背景技術】
【０００２】
近年、絵の具を色材として用いて、所望の色を調合する調色知識を有しない素人であっても、風景や、動物、植物および人物等の対象物の絵を、優れた色の再現性をもって描き得ることが望まれている。
【０００３】
このような要望に対して、例えば、特許文献１では、描くべき対象物の画像をデジタルカメラや、インターネットを介して取得し、この画像の色を構成する光の三原色であるＲ（赤）Ｇ（緑）Ｂ（青）から、色材の三原色であるＣ（シアン）Ｍ（マゼンタ）Ｙ（イエロー）、および、暗さを付与するためのＫ（ブラック）に変換することで、用いる絵の具の種類、さらには、その絵の具の調合量を特定することで調色する方法が提案されている。
【先行技術文献】
【特許文献】
【０００４】
【特許文献１】特開２０１８−１０１２５４号公報
【発明の概要】
【発明が解決しようとする課題】
【０００５】
しかしながら、このような光の三原色ＲＧＢを、色材の三原色ＣＭＹＫに変換することで、用いる絵の具の種類および調合量を特定する方法では、以下に示すような課題があった。すなわち、対象物の画像における色を、光の三原色ＲＧＢに圧縮した時点で、対象物の画像における実際の色とは異なった色となること、また、色材の三原色ＣＭＹＫが光の三原色ＲＧＢよりも狭領域になること等に起因して、特定された絵の具およびその調合量を用いて再現された色は、対象物の画像における色を、優れた再現性をもって再現されているとは言えない課題があった。
【０００６】
また、このような課題は、絵の具以外の色材を用いて、所望の色を調合する場合も該当すると考えられている。
【課題を解決するための手段】
【０００７】
本発明は、上述の課題を解決するためになされたものであり、以下の適用例として実現することが可能である。
【０００８】
本発明の適用例に係る調合データ作成システムは、測定すべき対象の分光情報を取得する分光計測部と、
前記分光計測部の作動を制御する分光計測部制御部と、
前記対象の分光情報から前記対象を構成する色のうち第１の色の分光情報を採取した後、前記第１の色の分光情報と、複数の色材の分光情報とを比較して、複数の前記色材のうちの少なくとも１つを選択し、かつ、選択された前記色材の調合量を特定することで、前記第１の色の調色を行う算出処理部と、を備えることを特徴とする。
【図面の簡単な説明】
【０００９】
【図１】本発明の調合データ作成システムの第１実施形態が適用された情報端末であるスマートフォンの全体像の表側を示す平面図である。
【図２】本発明の調合データ作成システムの第１実施形態が適用された情報端末であるスマートフォンの全体像の裏側を示す平面図である。
【図３】図２に示すスマートフォンのＡ−Ａ線断面図である。
【図４】図２に示すスマートフォンのＢ−Ｂ線断面図である。
【図５】図１、図２に示すスマートフォンの概略構成を示すブロック図である。
【図６】図１、図２に示すスマートフォンの分光計測部が備える分光部が有する波長可変干渉フィルターをファブリーペローエタロンフィルターに適用した一例を示す縦断面図である。
【図７】図１、図２に示すスマートフォンにより、測定対象を構成する色を複数の絵の具を選択することで調合する第１の色材選択方法を示すフローチャートである。
【図８】図１、図２に示すスマートフォンにより撮像された分光情報に基づいて、測定対象を構成する色を複数の絵の具を用いて調合する方法を説明するための概略図である。
【図９】図１、図２に示すスマートフォンにより、測定対象を構成する色を複数の絵の具を選択することで調合する第２の色材選択方法を示すフローチャートである。
【図１０】本発明の調合データ作成システムの第２実施形態が適用されたスマートフォンと分光計測部との概略構成を示すブロック図である。
【図１１】本発明の調合データ作成システムの第３実施形態が適用されたスマートフォンと外部表示部との概略構成を示すブロック図である。
【図１２】本発明の調合データ作成システムの第４実施形態が適用されたスマートフォンと分光計測部と外部表示部との概略構成を示すブロック図である。
【図１３】本発明の調合データ作成システムの第５実施形態が適用されたスマートフォンとサーバーとの概略構成を示すブロック図である。
【図１４】本発明の調合データ作成システムの第６実施形態が適用されたスマートフォンとサーバーとの概略構成を示すブロック図である。
【発明を実施するための形態】
【００１０】
以下、本発明の調合データ作成システムおよび色材選択方法を添付図面に示す好適な実施形態に基づいて詳細に説明する。
【００１１】
＜調合データ作成システム＞
＜＜第１実施形態＞＞
図１は、本発明の調合データ作成システムの第１実施形態が適用された情報端末であるスマートフォンの全体像の表側を示す平面図、図２は、本発明の調合データ作成システムの第１実施形態が適用された情報端末であるスマートフォンの全体像の裏側を示す平面図、図３は、図２に示すスマートフォンのＡ−Ａ線断面図、図４は、図２に示すスマートフォンのＢ−Ｂ線断面図、図５は、図１、図２に示すスマートフォンの概略構成を示すブロック図、図６は、図１、図２に示すスマートフォンの分光計測部が備える分光部が有する波長可変干渉フィルターをファブリーペローエタロンフィルターに適用した一例を示す縦断面図、図７は、図１、図２に示すスマートフォンにより、測定対象を構成する色を複数の絵の具を選択することで調合する第１の色材選択方法を示すフローチャート、図８は、図１、図２に示すスマートフォンにより撮像された分光情報に基づいて、測定対象を構成する色を複数の絵の具を用いて調合する方法を説明するための概略図、図９は、図１、図２に示すスマートフォンにより、測定対象を構成する色を複数の絵の具を選択することで調合する第２の色材選択方法を示すフローチャートである。
【００１２】
以下、本実施形態では、本発明の調合データ作成システムを、情報端末の１種であるスマートフォン１（ＳＰ）に適用した場合、すなわち、情報端末であるスマートフォン１単独で、本発明の調合データ作成システムが完結している場合について説明する。
【００１３】
スマートフォン１は、撮像機能を備えた携帯型の情報端末の１つであり、図１〜５に示すように、測定すべき測定対象Ｘ（対象）の分光情報を取得する分光計測部１０と、分光計測部１０の作動を制御する分光計測部制御部、および、測定対象Ｘの分光情報から測定対象Ｘを構成する色のうち第１の色の分光情報を採取した後、この第１の色の分光情報と、複数の色材の分光情報とを比較して、複数の色材のうちの少なくとも１つを選択し、かつ、選択された色材の調合量を特定することで、第１の色の調合を行う算出処理部６０４としての制御部６０と、を備えている。
【００１４】
このスマートフォン１では、分光計測部１０により取得された、測定対象Ｘを構成する色のうち第１の色の分光情報に基づいて、算出処理部６０４において、複数の色材のうち何れを選択し、かつ、選択したものの調合をどのような調合量すなわち量比（％）とすればよいかを特定することで、第１の色の色材による再現すなわち調色が実施される。すなわち、スマートフォン１では、第１の色の色材を用いた再現が、分光計測部１０により取得された、第１の色の分光情報に基づいて実施される。
【００１５】
このように、スマートフォン１では、測定対象Ｘを構成する色のうち第１の色を、色材を用いて調色する際、すなわち、色材の三原色ＣＭＹＫに変換する際に、光の三原色ＲＧＢを用いることなく、分光情報を用いている。そのため、前述の通り、光の三原色ＲＧＢを用いた場合のように、第１の色を、光の三原色ＲＧＢに圧縮した時点で、実際の第１の色とは異なった色となること、さらには、色材の三原色ＣＭＹＫが光の三原色ＲＧＢよりも狭領域になること等に起因して、色材を用いた第１の色の再現性が低下するのを防止することができる。換言すれば、第１の色を、色材を用いて再現する際に、第１の色の分光情報を用いることで、優れた再現性をもって第１の色を調色することができる。
【００１６】
以下、このスマートフォン１が備える各部の構成について説明する。
なお、以下では、果物としてのリンゴを画材として絵を描く際に、リンゴを測定対象Ｘとしてスマートフォン１に取り込み、色材としての絵の具により、リンゴを構成する色を、調色する場合を一例に説明する。
【００１７】
［表示部１５、入力部１６］
スマートフォン１では、ディスプレイ７０が表示部１５と入力部１６との双方の機能を兼ね備えており、表示部１５は、例えば、液晶ディスプレイや有機ＥＬディスプレイ等の各種表示装置で構成される。この表示部１５は、図１に示すように、スマートフォン１の表側に設けられ、構成する色を絵の具により再現すなわち調色すべき測定対象Ｘの可視化された画像、ならびに、測定対象Ｘを構成する色を再現するために選択された絵の具の種類およびその調合量（％）が特定された結果等を表示する。なお、本発明では、表示部１５と入力部１６とは、それぞれ、別個に設けられていてもよい。
【００１８】
なお、図１に示す実施形態では、リンゴを構成する色を調色するために、測定対象Ｘとしてのリンゴを、スマートフォン１により撮像して、表示部１５に表示した状態を示している。
【００１９】
また、入力部１６は、例えば、表示部１５の表面に設けられ、タッチ感知面と、このタッチ感知面との接触の強度を検出するためのセンサーとを備えるタッチパネルで構成される、ユーザー（操作者）による操作指示、すなわち、測定対象Ｘの分光情報等を取得するための条件等を受け付ける。
【００２０】
［記憶部１７］
記憶部１７は、ＲＯＭやＲＡＭ等の各種記憶装置（メモリー）により構成され、スマートフォン１の制御、特に分光計測部１０の制御に必要な各種データやプログラム等を記憶する。当該データは、例えば、制御部６０の各機能を実現させるためのアプリケーション、プログラム、分光部４１のファブリーペローエタロンフィルターが備える静電アクチュエーター４５に印加する駆動電圧に対する透過光の波長を示す相関データＶ−λデータ等の他、測定対象Ｘを構成する色を調色するために用いられる絵の具の分光情報を含むデータベース等が挙げられる。
【００２１】
［分光計測部１０］
分光計測部１０は、測定対象Ｘで反射した反射光を受光し、分光することで、選択された特定波長または特定波長領域（以下では、「特定波長」で代表して説明する。）の光を得た後、この特定波長を有する光を撮像することにより、分光画像すなわち分光情報を取得するいわゆる分光カメラである。
【００２２】
この分光計測部１０は、本実施形態では、測定対象Ｘすなわち撮像対象であるリンゴに光を照射する光源３１と、測定対象Ｘを反射した反射光に基づいた、画像を撮像する撮像素子２１と、入射光から所定の波長の光を選択的に出射させ、かつ出射させる出射光の波長領域を変更可能な分光部４１と、を備えている。
【００２３】
このような分光計測部１０において、図２に示すように、光源３１、撮像素子２１が、スマートフォン１の裏面側において同一方向を向くように配置された状態で、分光部４１は、撮像素子２１と測定対象Ｘとの光軸の間に配置されている。光源３１と、分光部４１と、撮像素子２１をこのような位置関係で配置することで、これらにより、分光計測部１０を、後分光方式の分光カメラで構成することができる。このような後分光方式の分光カメラでは、ある測定範囲すなわち所定領域の波長をスキャンすることで、特定波長やスペクトル形状を取得して、測定対象Ｘを構成する色を把握することが可能である。そのため、測定対象Ｘを構成する色の種類が不明な測定対象Ｘを測定すなわち撮像する場合に有効な方式である。
【００２４】
なお、分光計測部１０は、分光部４１が光源３１と測定対象Ｘとの間に配置された、前分光方式の分光カメラを構成していてもよい。かかる構成をなす前分光方式の分光カメラでは、特定波長の光を照射することで、測定対象Ｘの分光情報を取得することが可能な方式である。したがって、測定対象Ｘを構成する色の種類が明らかになっている測定対象Ｘを測定する場合に有効な方式であり、後分光方式よりも情報量を減らせることから、計測時間の短縮が図られると言う利点を有する方式である。
【００２５】
以下、分光計測部１０が備える各部の構成について説明する。
［光源３１］
光源３１は、測定対象Ｘに向かって照明光を照射する光素子である。
【００２６】
光源３１は、図２、４に示すように、スマートフォン１の筐体内に配置された回路基板５１上に、測定対象Ｘに向かって照明光を照射し得るように、スマートフォン１の裏面側に配置されている。
【００２７】
この光源３１と測定対象Ｘとの光軸の間には分光部が配置されておらず、これにより、光源３１から出射された光が、測定対象Ｘに対して、直接、照射される。
【００２８】
このような光源３１は、例えば、ＬＥＤ光源、ＯＬＥＤ光源、キセノンランプ、ハロンゲンランプ等が挙げられ、波長可変干渉フィルターで構成される分光部４１により分光測定を行う波長領域の全体に光強度を持つ、白色光を照射可能な光源が好ましく用いられる。また、光源３１は、白色光源以外にも、例えば、赤外光等の所定波長の光を照射可能な光源を備えていてもよい。
【００２９】
［撮像素子２１］
撮像素子２１は、測定対象Ｘを反射した反射光に基づいた、画像を撮像することで、測定対象Ｘを反射した反射光を検出する検出部として機能するものである。
【００３０】
撮像素子２１は、図２、３に示すように、スマートフォン１の筐体内に配置された回路基板５１上に、測定対象Ｘを反射した反射光を受光し得るように、スマートフォン１の裏面側に配置されている。
【００３１】
そして、この撮像素子２１と測定対象Ｘとの光軸の間には分光部４１が配置されている。これにより、測定対象Ｘから分光部４１に入射された入射光のうち、特定波長を有する出射光が選択的に出射され、この出射光が撮像素子２１により、分光画像すなわち分光情報として撮像される。
このような撮像素子２１は、例えば、ＣＣＤやＣＭＯＳ等で構成される。
【００３２】
［分光部４１］
分光部４１は、入射光から特定波長である分光波長の光を選択的に出射させ、かつ出射させる出射光の波長領域を変更可能なものである。すなわち、入射光から特定波長の光を出射光として撮像素子２１へ向けて出射させるものである。
【００３３】
分光部４１は、図３に示すように、スマートフォン１の筐体内に配置された回路基板５２上に配置されている。
【００３４】
この分光部４１は、撮像素子２１と測定対象Ｘとの間、すなわち、これらの間の光軸上に配置されている。これにより、測定対象Ｘから分光部４１に入射された入射光のうち、特定波長を有する出射光を、撮像素子２１に向けて選択的に出射する。
【００３５】
このような分光部４１は、出射させる出射光の波長領域を変更可能なように、波長可変干渉フィルターで構成されている。この波長可変干渉フィルターとしては、特に限定されないが、例えば、静電アクチュエーターにより２つのフィルター（ミラー）間のギャップの大きさを調整することで透過する反射光の波長を制御する、波長可変型のファブリーペローエタロンフィルター、音響光学チューナブルフィルター（ＡＯＴＦ）、リニアバリアブルフィルター（ＬＶＦ）、液晶チューナブルフィルター（ＬＣＴＦ）等が挙げられるが、中でも、ファブリーペローエタロンフィルターであるのが好ましい。
【００３６】
ファブリーペローエタロンフィルターは、２つのフィルターによる多重干渉を利用して所望波長の反射光を取り出すものである。そのため、厚み寸法を極めて小さくすることができ、具体的には、２．０ｍｍ以下に設定することが可能となる。そのため、分光部４１ひいては分光計測部１０を備えるスマートフォン１をより小型なものとし得る。したがって、波長可変フィルターとして、ファブリーペローエタロンフィルターを用いることにより、分光計測部１０のさらなる小型化を実現することができる。
【００３７】
以下、波長可変干渉フィルターとして波長可変型のファブリーペローエタロンフィルターが適用された分光部４１について、図６を参照しつつ説明する。
【００３８】
ファブリーペローエタロンフィルターは、平面視において、矩形板状の光学部材であり、固定基板４１０と、可動基板４２０と、固定反射膜４１１と、可動反射膜４２１と、固定電極４１２と可動電極４２２と、接合膜４１４とを備えている。そして、固定基板４１０と可動基板４２０とが積層した状態で、接合膜４１４を介して一体的に接合されている。
【００３９】
固定基板４１０は、その中央部に反射膜設置部４１５が形成されるように、中央部を取り囲んで、厚さ方向に対するエッチングにより溝４１３が形成されている。かかる構成の固定基板４１０において、反射膜設置部４１５の可動基板４２０側に固定反射膜４１１で構成される固定光学ミラーが設けられ、溝４１３の可動基板４２０側に固定電極４１２が設けられている。
【００４０】
また、可動基板４２０は、その中央部に反射膜設置部４２５である可動部が形成されるように、中央部を取り囲んで、厚さ方向に対するエッチングにより溝４２３である保持部が形成されている。かかる構成の可動基板４２０において、反射膜設置部４２５の固定基板４１０側すなわち下面側に可動反射膜４２１で構成される可動光学ミラーが設けられ、固定基板４１０側に可動電極４２２が設けられている。
【００４１】
この可動基板４２０は、反射膜設置部４２５と比較して、溝４２３の厚み寸法が小さく形成されており、これにより、溝４２３は、固定電極４１２および可動電極４２２間に電圧を印加した際の静電引力により撓むダイアフラムとして機能する。
【００４２】
これら固定基板４１０と可動基板４２０とは、０．１ｍｍ以上１．０ｍｍ以下程度の厚みであれば作製可能である。よって、ファブリーペローエタロンフィルターの全体としての厚みを、２．０ｍｍ以下に設定し得るため、分光計測部１０の小型化を実現することができる。
【００４３】
このような固定基板４１０と可動基板４２０との間において、固定反射膜４１１と可動反射膜４２１とは、固定基板４１０および可動基板４２０のほぼ中央部で、ギャップを介して対向配置されている。また、固定電極４１２と可動電極４２２とは、前記中央部を取り囲む溝部で、ギャップを介して対向配置されている。これらのうち、固定電極４１２と可動電極４２２とにより、固定反射膜４１１と可動反射膜４２１との間のギャップの大きさを調整する静電アクチュエーター４５が構成される。
【００４４】
静電アクチュエーター４５を構成する、固定電極４１２および可動電極４２２間に電圧を印加することで生じる静電引力により、溝４２３である保持部に撓みが生じる。その結果、固定反射膜４１１と可動反射膜４２１との間のギャップの大きさすなわち距離を変化させることができる。そして、このギャップの大きさを適宜設定することにより、透過する光の波長を選択すること、入射光から所望の波長（波長領域）の光を選択的に出射させることができる。また、固定反射膜４１１および可動反射膜４２１の構成を変えることにより、透過する光の半値幅、すなわちファブリーペローエタロンフィルターの分解能を制御することができる。
【００４５】
なお、固定基板４１０および可動基板４２０は、それぞれ、例えば、ソーダガラス、結晶性ガラス、石英ガラス、鉛ガラス、カリウムガラス、ホウケイ酸ガラス、無アルカリガラス等の各種ガラスや、水晶等により構成され、接合膜４１４は、例えば、シロキサンを主材料とするプラズマ重合膜等により構成され、また、固定反射膜４１１および可動反射膜４２１は、例えば、Ａｇ等の金属膜や、Ａｇ合金等の合金膜で構成される他、高屈折層としてＴｉＯ２、低屈折層としてＳｉＯ２を備える誘電体多層膜で構成され、さらに、固定電極４１２および可動電極４２２は、各種導電性材料で構成される。
【００４６】
［光学系８１、８３］
また、分光計測部１０は、本実施形態では、図５に示すように、各種光学部品で構成される光学系８１、８３を有する構成のものである。
【００４７】
第１分光部側光学系８１は、測定対象Ｘと分光部４１との間に配置され、入射光学系としての入射レンズ８１１と、投射レンズ８１２とを備え、測定対象Ｘを反射した反射光を分光部４１に導く。
【００４８】
また、第１撮像素子側光学系８３は、分光部４１と撮像素子２１との間に配置され、入出射レンズ８３１を備え、分光部４１により出射された出射光を撮像素子２１に導く。
【００４９】
このような光学系８１、８３のうちの少なくとも１つを分光計測部１０が備えることで、測定対象Ｘを反射する反射光の撮像素子２１による集光率の向上を図ることができる。
【００５０】
なお、光学系８１、８３は、これらのうちの少なくとも１つが、撮像素子２１による前記集光率を考慮して、省略されたものであってもよい。
【００５１】
また、第１分光部側光学系８１は、上記のような配置とする場合（図５参照）の他、分光部４１と第１撮像素子側光学系８３との間に配置されている構成をなすものであってもよい。
【００５２】
［制御部６０］
制御部６０は、スマートフォン１が備える筐体内に設けられ、例えば、ＣＰＵやメモリー等が組み合わせられたプロセッサーにより構成され、光源３１、撮像素子２１、分光部４１等の各部の作動、すなわち、分光計測部１０の全体または各部の作動を制御するとともに、表示部１５の作動および記憶部１７へのデータの入出力を制御する。なお、分光計測部１０の作動を制御すると言う点においては、制御部６０は、「分光計測部制御部」に相当するか、または内包するものと言える。
【００５３】
より具体的には、制御部６０は、入力部１６に入力されたユーザーの操作指示、すなわち、測定対象Ｘの分光情報を取得するための条件に基づいて、記憶部１７に記憶されたプログラム等のソフトウェアを読み込むことで、光源３１、分光部４１および撮像素子２１の作動を制御する。そして、これにより得られた測定対象Ｘの分光画像に基づいて、撮像された測定対象Ｘを構成する色を、複数の絵の具により調色するために用いられる、絵の具の種類およびその調合量（％）等の特定された結果を、表示部１５において表示する。
【００５４】
この制御部６０は、本実施形態では、図５に示すように、光源制御部６０１と、分光制御部６０２と、分光画像取得部６０３と、算出処理部６０４と、表示制御部６０５とを備える。
【００５５】
光源制御部６０１は、入力部１６に入力されたユーザーの操作指示、具体的には、測定対象Ｘの分光情報を取得するための条件に基づいて、光源３１の点灯、消灯を制御するものである。
【００５６】
分光制御部６０２は、記憶部１７に記憶されているＶ−λデータに基づいて、出射させる分光波長すなわち特定波長に対応する駆動電圧の電圧値（入力値）を取得する。そして、取得した電圧値を、分光部４１としてのファブリーペローエタロンフィルターの静電アクチュエーター４５に印加させるために指令信号を出力する。また、分光制御部６０２は、記憶部１７に記憶されている各種データに基づいて、測定波長の変更タイミングの検出、測定波長の変更、測定波長の変更に応じた駆動電圧の変更、および測定終了の判断等を行い、当該判断に基づいて指令信号を出力する。
【００５７】
分光画像取得部６０３は、測定対象Ｘを反射した反射光に基づいた、光量測定データ（受光量）を分光画像すなわち分光情報として、撮像素子２１において取得（撮像）し、その後、取得された分光画像を記憶部１７に記憶させる。なお、分光画像取得部６０３は、分光画像を記憶部１７に記憶させる際に、分光画像とともに測定波長も併せて記憶部１７に記憶させる。
【００５８】
算出処理部６０４は、記憶部１７に記憶された、測定対象Ｘの分光画像および測定波長すなわち分光スペクトルを分光情報として取得し、この分光情報に基づいて、測定対象Ｘを構成する色を再現するために選択された絵の具の種類を決定し、さらに、その調合量（％）を算出する算出処理を行う。
【００５９】
なお、算出処理部６０４による、分光画像および測定波長の取得は、記憶部１７を介することなく、分光画像取得部６０３から、直接、実施することもできる。
【００６０】
表示制御部６０５は、算出処理部６０４で特定された、測定対象Ｘを構成する色を複数の絵の具で調色するために用いられる絵の具の種類およびその調合量（％）を、算出結果として表示部１５に表示させる。
【００６１】
以上のようなスマートフォン１において、起動させたアプリケーションにおけるモードを切り替えること、すなわち、スマートフォン１による色材選択方法の種類を選択することで、スマートフォン１により、１）ユーザーが入手すべき、絵の具の種類およびその調合量（％）を提示することができ、または、２）ユーザーが既に入手している絵の具から、選択すべき絵の具の種類およびその調合量（％）を提示することができる。以下、スマートフォン１を用いた、１）または２）のモードを選択した際の色材選択方法について、それぞれ、説明する。
【００６２】
［１）入手すべき絵の具の色材選択方法］
以下、前述したスマートフォン１を用いて、ユーザーが入手すべき、絵の具の種類およびその調合量（％）を提示する第１の色材選択方法を、図７等を用いて、詳述する。
【００６３】
このスマートフォン１を用いた第１の色材選択方法では、測定対象Ｘを、分光計測部１０を用いて撮像し、撮像された測定対象Ｘの分光画像に基づいて、ユーザーが入手すべき、絵の具の種類およびその調合量（％）の特定を行う。その後、特定された絵の具の種類およびその調合量（％）等をディスプレイ７０に表示する。
【００６４】
すなわち、この第１の色材選択方法では、ユーザーは絵の具を予め入手しておらず、第１の色材選択方法により提示された、絵の具の種類およびその調合量（％）の結果に基づいて、ユーザーは、新たに絵の具を入手し、かつ、その絵の具を用いて、提示された調合量（％）で調色することで、目的とする色の再現を実施する。
【００６５】
＜１Ａ＞  まず、ユーザーは、入力部１６の操作により、スマートフォン１が備えるアプリケーションを起動させた後、このアプリケーションの指示に従って、条件等の選択を行う（Ｓ１Ａ）。
【００６６】
なお、アプリケーションの指示に従って入力する条件としては、例えば、描くべき測定対象Ｘの種類や、入手を予定している絵の具のメーカー等の情報が挙げられる。このように、予め各種の情報を入力することで、スマートフォン１による、絵の具の種類の特定、およびその調合量（％）の調製をより迅速に行うことができる。
【００６７】
＜２Ａ＞  次に、ユーザーは、入力部１６の操作により、測定対象Ｘをスマートフォン１すなわち分光計測部１０により撮像する入力指示を行い、この入力指示に基づいて、制御部６０は、分光計測部１０の作動を制御して、測定対象Ｘの撮像を行う。
【００６８】
＜２Ａ−１＞  まず、入力部１６における、ユーザーによる測定対象Ｘの撮像の入力指示に従って、光源制御部６０１は、光源３１を点灯させる（Ｓ２Ａ）。
【００６９】
この光源３１の点灯により、光源３１から出射された照明光が、測定対象Ｘに対して、照射される。そして、照射された光が測定対象Ｘにより反射され、この反射された光が入射光として分光部４１に入射する。
【００７０】
＜２Ａ−２＞  次いで、分光制御部６０２は、記憶部１７に記憶されているＶ−λデータに基づいて、出射させる分光波長に対応する駆動電圧の電圧値（入力値）を取得する。そして、取得した電圧値を、分光部４１としてのファブリーペローエタロンフィルターの静電アクチュエーター４５に印加させるために指令信号を出力する（Ｓ３Ａ）。
【００７１】
これにより、測定対象Ｘから分光部４１に入射光として入射された光のうち、特定波長を有する光が出射光として、選択的に撮像素子２１側に向かって出射される。
【００７２】
なお、分光制御部６０２は、分光部４１により特定波長を有する光を出射させるのに先立って、分光部４１のキャリブレーションを行う調整処理を施すことが好ましい。これにより、光源３１の分光スペクトルsrefを取得する。
【００７３】
＜２Ａ−３＞  次いで、分光画像取得部６０３は、撮像素子２１の作動を制御することで、分光部４１から出射光として出射された、特定波長を有する光を、分光画像として、撮像素子２１により取得する。すなわち、測定対象Ｘを反射した反射光のうち、特定波長を有する光における光量測定データ（受光量）を分光画像として、撮像素子２１により取得する。そして、分光画像取得部６０３は、取得された分光画像を、かかる分光画像に対応する測定波長すなわち特定波長とともに記憶部１７に記憶させる（Ｓ４Ａ）。
【００７４】
このような分光画像の取得方法では、分光部４１は、測定対象Ｘと撮像素子２１との間において、撮像素子２１の受光光の光軸上に配置される。これにより、分光部４１で測定対象Ｘにより反射された光が有する特定波長の光のみが透過され、この特定波長における光の強度が分光画像として撮像素子２１により分光測定される。
【００７５】
＜２Ａ−４＞  次いで、１回目の特定波長を有する光における分光画像の取得の後に、１回目の特定波長とは異なる２回目の特定波長を有する光における分光画像の取得が必要か否かを、前記工程＜１Ａ＞において、ユーザーによって選択された条件等に基づいて判定する。すなわち、１回目の特定波長とは異なる２回目の特定波長を有する光における分光画像を、続けて取得する必要があるのか否かを判定する（Ｓ５Ａ）。
【００７６】
この判定（Ｓ５Ａ）において、２回目の特定波長を有する光における分光画像の取得の必要がある場合には、１回目の特定波長を有する光に代わり、２回目の特定波長を有する光について、前記工程＜２Ａ−２＞〜本工程＜２Ａ−４＞を繰り返して実施する。すなわち、静電アクチュエーター４５の固定電極４１２と可動電極４２２との間に印加させる電圧値を変化させて２回目の特定波長に設定した後、前記工程＜２Ａ−２＞〜本工程＜２Ａ−４＞を繰り返して実施する。これにより、２回目の特定波長を有する光における分光画像を取得する。このような２回目の特定波長、すなわち、異なる特定波長を有する光における分光画像の取得を、１、２〜ｎ回目まで、繰り返して実施する。上記の通り、前記工程＜２Ａ−２＞〜本工程＜２Ａ−４＞を繰り返して実施することで、分光情報を、分光画像に含まれる各画素に対応した、各特定波長と光強度との関係を示すスペクトル情報ssamとして得ることができる。
【００７７】
一方、次の波長を有する光における分光画像を取得する必要がない場合には、分光計測部１０による分光画像の取得を終了し、次工程＜３Ａ＞に移行する。
【００７８】
＜３Ａ＞  次いで、算出処理部６０４は、記憶部１７に記憶された、測定対象Ｘの分光画像および測定波長、すなわち、スペクトル情報ssamと、記憶部１７に予め記憶された、絵の具の分光情報すなわちスペクトル情報とに基づいて、測定対象Ｘを構成する色が再現される絵の具の種類およびその調合量（％）を特定する。
【００７９】
換言すれば、算出処理部６０４は、前記工程＜２Ａ＞において記憶部１７に記憶された、スペクトル情報ssamを取得する。その後、このスペクトル情報ssamを、分光情報として用い、データベースとして記憶された絵の具の分光情報と比較する算出処理を実施することで、測定対象Ｘを構成する色が再現される絵の具の種類およびその調合量（％）を特定する。
【００８０】
＜３Ａ−１＞  まず、算出処理部６０４は、スペクトル情報ssamと、光源３１の分光スペクトルsrefとから、測定対象Ｘの反射率r=ssam/srefを算出する。そして、測定対象Ｘが撮像された撮像領域をＭ行Ｎ列の画素毎に分割することで、Ｍ×Ｎ個に分割された各領域(i=1,…,M),(j=1,…,N)に対応したデータrijを算出する。さらに、このデータrijにおいて、同一の色であると判断されるものと、そうでないものとでグループ（群）分けをすることで測定対象Ｘを構成する色の選定を行い、これらのうちの１つを第１の色として選択するとともに、この第１の色に対応するデータrij(i=MA),(j=NA)を取得する。
【００８１】
＜３Ａ−２＞  次いで、算出処理部６０４は、記憶部１７に予め記憶された各色の絵の具に対応する分光情報すなわちデータei (i=1,…,M)を取得し、第１の色に対応するデータrij(i=MA),(j=NA)を、絵の具のデータeiを用いて調色する（Ｓ６Ａ）。
【００８２】
なお、ここで、「データei (i=1,…,M)」は、各色の絵の具に対応する分光情報のことであり、本実施形態では、世の中に流通している各色の絵の具の分光情報が予め測定されており、これらが記憶部１７にデータベースとして記憶されている。そして、前記工程＜１Ａ＞において、ユーザーにより予め用いる絵の具のメーカー等が指定されている場合には、これに対応する絵の具のデータeiが選択的に取得される。
【００８３】
より具体的には、まず、図８に示す、取得されたデータei (i=1,…,M)およびデータrij(i=MA),(j=NA)を、測定対象Ｘを構成する色を特定するのに適した判別空間へ、投影する。
【００８４】
そして、投影されたデータei (i=1,…,M)およびデータrij(i=MA),(j=NA)について、下記式（１）において、データrij(i=MA),(j=NA)を、データei (i=1,…,M)を用いて近似できるようにαi(i=1,…,M)の値を決定する。
【００８５】
-log｛rij(i=MA),(j=NA)｝
= α1log(e1) + α2log(e2) +…αMlog(eM)      …    式（１）
【００８６】
なお、各αi(i=1,…,M)の値の近似方法としては、例えば、二乗誤差を用いた手法の他、相互相関、遺伝的アルゴリズム（ＧＡ）、ソルバー、スパースモデリング等を用いた手法を用いることができる。
【００８７】
この式（１）を用いたαi(i=1,…,M)の値の近似において、αの値が０超のものが第１の色を調色する際に用いられる絵の具として選択され、この際のαの値がその絵の具の調合量（％）を表しており、これにより、測定対象Ｘを構成する色の１つである第１の色を、再現するために選択された絵の具の種類およびその調合量（％）が特定される。
【００８８】
以上の通り、本工程＜３Ａ＞では、測定対象Ｘを構成する色の１つである第１の色の絵の具を調色することによる再現を、スペクトル情報すなわち分光情報を用いることで行っている。そのため、前述の通り、光の三原色ＲＧＢを用いた場合のように、第１の色を光の三原色ＲＧＢに圧縮した時点で、第１の色が実際の色とは異なった色となること、さらには、色材の三原色ＣＭＹＫが光の三原色ＲＧＢよりも狭領域になること等に起因して、絵の具を用いた第１の色の再現性が低下するのを防止することができる。
【００８９】
＜４Ａ＞  次いで、算出処理部６０４は、前記工程＜３Ａ＞において、式（１）を用いて算出された、絵の具の種類およびその調合量（％）により調色される第１の色の再現度、すなわち、近似値に基づいて、第１の色の絵の具を用いた再現に、他の絵の具の組み合わせを用いた調色について、改めて実施する必要があるのか否かを、閾値を設けることで判定する（Ｓ７Ａ）。
【００９０】
この判定（Ｓ７Ａ）において、他の絵の具の組み合わせを用いた調色について実施する必要がある場合には、１回目の第１の色の絵の具を用いた再現に代わり、２回目の第１の色の絵の具を用いた再現を、１回目とは異なる絵の具の組み合わせについて、前記工程＜３Ａ＞、本工程＜４Ａ＞を繰り返して実施する。すなわち、１回目とは異なる絵の具の組み合わせとなっている複数の絵の具を用意し、これらの絵の具を用いた場合の第１の色の調色を、前記工程＜３Ａ＞、本工程＜４Ａ＞を繰り返すことで実施する。これにより、２回目の第１の色の絵の具を用いた再現が実施される。このような２回目の第１の色の絵の具を用いた再現を、第１の色の近似値が閾値以下となるまで、１、２〜ｎ回目と繰り返して実施する。これにより、第１の色の絵の具を用いた再現を、設定された閾値以上の再現性すなわち近似性をもって、実施することができる。換言すれば、第１の色の絵の具を用いた再現を、優れた精度で実施することができる。
【００９１】
なお、第１の色を再現することができる絵の具の組み合わせ、すなわち、絵の具の種類およびその調合量（％）の提示は、１つの組み合わせについて提示すればよいが、２つ以上の組み合わせについて提示するように設定することもできる。
【００９２】
一方、判定（Ｓ７Ａ）において、他の絵の具の組み合わせを用いた調色について実施する必要がない場合には、次工程＜５Ａ＞に移行する。
【００９３】
＜５Ａ＞  次いで、表示制御部６０５は、算出処理部６０４で特定された、測定対象Ｘを構成する色の１つである第１の色を再現することができる絵の具の組み合わせに関する情報を可視化画像として作成し、その後、この可視化画像を、表示部１５を備えるディスプレイ７０に表示させる（Ｓ８Ａ）。
【００９４】
この可視化画像として、ディスプレイ７０に表示させる情報としては、第１の色を再現することができる絵の具の種類およびその調合量（％）等が挙げられ、この絵の具の種類およびその調合量（％）については、１つの組み合わせについて提示すればよいが、前記工程＜３Ａ＞、＜４Ａ＞において、２つ以上の組み合わせについて特定されている場合には、２つ以上の組み合わせについて提示してもよい。
【００９５】
以上のような、工程＜１Ａ＞〜工程＜５Ａ＞を経ることで、スマートフォン１を用いて、測定対象Ｘを構成する色のうちの１つである第１の色を再現することができる絵の具の種類およびその調合量（％）が特定される。なお、前記工程＜３Ａ−１＞において、測定対象Ｘを構成する色として、第１の色とは異なる第２の色が存在する場合には、第２の色に対応するデータrij(i=MＢ),(j=NＢ)を取得し、このデータrij(i=MＢ),(j=NＢ)に基づいて、工程＜３Ａ＞〜工程＜５Ａ＞を実施することで、第２の色を調色することができる絵の具の種類およびその調合量（％）が特定される。そして、測定対象Ｘを構成する色が第ｎの色まで複数存在する場合には、これらの工程＜３Ａ＞〜工程＜５Ａ＞の繰り返しを、ｎ回実施することで、測定対象Ｘを構成する第１の色〜第ｎの色を、絵の具を用いて再現することができる。
【００９６】
よって、ユーザーは、測定対象Ｘを構成する色を再現するために特定された絵の具を入手し、これらの絵の具を提示された調合量（％）に基づいて、混ぜ合わせることで、測定対象Ｘを構成する色を調色することができる。
【００９７】
なお、スマートフォン１は、インターネットを介して、ネットショップ等の通信相手とシステムが連携されており、これにより、この色材選択方法は、測定対象Ｘを構成する色を再現するために、必要であると特定された絵の具のユーザーによる入手が可能なように構成されているものであってもよい。
【００９８】
［２）手持ちの絵の具のうち用いるべきものを指定する色材選択方法］
以下、前述したスマートフォン１を用いて、ユーザーの手持ちの絵の具のうち、使用すべき絵の具の種類およびその調合量（％）を提示する第２の色材選択方法を、図９等を用いて、詳述する。
【００９９】
このスマートフォン１を用いた第２の色材選択方法では、測定対象Ｘおよび手持ちの絵の具を、それぞれ、分光計測部１０を用いて撮像し、撮像された測定対象Ｘの分光情報および絵の具の分光画像に基づいて、ユーザーが入手すべき、絵の具の種類およびその調合量（％）の特定を行う。その後、特定された絵の具の種類およびその調合量（％）等をディスプレイ７０に表示する。
【０１００】
すなわち、この第２の色材選択方法では、ユーザーは予め絵の具を入手しており、第２の色材選択方法により提示された、絵の具の種類およびその調合量（％）の結果に基づいて、ユーザーは、手元の絵の具のうち特定されたものを選択し、かつ、その絵の具を用いて、提示された調合量（％）で調色することで、目的とする色の再現を実施する。
【０１０１】
＜１Ｂ＞  まず、ユーザーは、入力部１６の操作により、スマートフォン１が備えるアプリケーションを起動させた後、このアプリケーションの指示に従って、条件等の選択を行う（Ｓ１Ｂ）。
【０１０２】
なお、アプリケーションの指示に従って入力する条件としては、例えば、描くべき測定対象Ｘの種類等の情報が挙げられる。このように、予め各種の情報を入力することで、スマートフォン１による、絵の具の種類の特定、およびその調合量（％）の調製をより迅速に行うことができる。
【０１０３】
＜２Ｂ＞  次に、ユーザーは、入力部１６の操作により、測定対象Ｘをスマートフォン１すなわち分光計測部１０により撮像する入力指示を行い、この入力指示に基づいて、制御部６０は、分光計測部１０の作動を制御して、測定対象Ｘの撮像を行う。
【０１０４】
＜２Ｂ−１＞  まず、入力部１６における、ユーザーによる測定対象Ｘの撮像の入力指示に従って、光源制御部６０１は、光源３１を点灯させる（Ｓ２Ｂ）。
【０１０５】
この光源３１の点灯により、光源３１から出射された照明光が、測定対象Ｘに対して、照射される。そして、照射された光が測定対象Ｘにより反射され、この反射された光が入射光として分光部４１に入射する。
【０１０６】
＜２Ｂ−２＞  次いで、分光制御部６０２は、記憶部１７に記憶されているＶ−λデータに基づいて、出射させる分光波長に対応する駆動電圧の電圧値（入力値）を取得する。そして、取得した電圧値を、分光部４１としてのファブリーペローエタロンフィルターの静電アクチュエーター４５に印加させるために指令信号を出力する（Ｓ３Ｂ）。
【０１０７】
これにより、測定対象Ｘから分光部４１に入射光として入射された光のうち、特定波長を有する光が出射光として、選択的に撮像素子２１側に向かって出射される。
【０１０８】
なお、分光制御部６０２は、分光部４１により特定波長を有する光を出射させるのに先立って、分光部４１のキャリブレーションを行う調整処理を施すことが好ましい。これにより、光源３１の分光スペクトルsrefを取得する。
【０１０９】
＜２Ｂ−３＞  次いで、分光画像取得部６０３は、撮像素子２１の作動を制御することで、分光部４１から出射光として出射された、特定波長を有する光を、分光画像として、撮像素子２１により取得する。すなわち、測定対象Ｘを反射した反射光のうち、特定波長を有する光における光量測定データ（受光量）を分光画像として、撮像素子２１により取得する。そして、分光画像取得部６０３は、取得された分光画像を、かかる分光画像に対応する測定波長すなわち特定波長とともに記憶部１７に記憶させる（Ｓ４Ｂ）。
【０１１０】
このような分光画像の取得方法では、分光部４１は、測定対象Ｘと撮像素子２１との間において、撮像素子２１の受光光の光軸上に配置される。これにより、分光部４１で測定対象Ｘにより反射された光が有する特定波長の光のみが透過され、この特定波長における光の強度が分光画像として撮像素子２１により分光測定される。
【０１１１】
＜２Ｂ−４＞  次いで、１回目の特定波長を有する光における分光画像の取得の後に、１回目の特定波長とは異なる２回目の特定波長を有する光における分光画像の取得が必要か否かを、前記工程＜１Ｂ＞において、ユーザーによって選択された条件等に基づいて判定する。すなわち、１回目の特定波長とは異なる２回目の特定波長を有する光における分光画像を、続けて取得する必要があるのか否かを判定する（Ｓ５Ｂ）。
【０１１２】
この判定（Ｓ５Ｂ）において、２回目の特定波長を有する光における分光画像の取得の必要がある場合には、１回目の特定波長を有する光に代わり、２回目の特定波長を有する光について、前記工程＜２Ｂ−２＞〜本工程＜２Ｂ−４＞を繰り返して実施する。すなわち、静電アクチュエーター４５の固定電極４１２と可動電極４２２との間に印加させる電圧値を変化させて２回目の特定波長に設定した後、前記工程＜２Ｂ−２＞〜本工程＜２Ｂ−４＞を繰り返して実施する。これにより、２回目の特定波長を有する光における分光画像を取得する。このような２回目の特定波長、すなわち、異なる特定波長を有する光における分光画像の取得を、１、２〜ｎ回目まで、繰り返して実施する。上記の通り、前記工程＜２Ｂ−２＞〜本工程＜２Ｂ−４＞を繰り返して実施することで、分光情報を、分光画像に含まれる各画素に対応した、各特定波長と光強度との関係を示すスペクトル情報ssamとして得ることができる。
【０１１３】
一方、次の波長を有する光における分光画像を取得する必要がない場合には、分光計測部１０による分光画像の取得を終了し、次工程＜３Ｂ＞に移行する。
【０１１４】
＜３Ｂ＞  次に、ユーザーは、入力部１６の操作により、手持ちの絵の具をスマートフォン１すなわち分光計測部１０により撮像する入力指示を行い、この入力指示に基づいて、制御部６０は、分光計測部１０の作動を制御して、絵の具の撮像を行う。
【０１１５】
＜３Ｂ−１＞  まず、入力部１６における、ユーザーによる手持ちの絵の具の撮像の入力指示に従って、光源制御部６０１は、光源３１を点灯させる（Ｓ６Ｂ）。
【０１１６】
この光源３１の点灯により、光源３１から出射された照明光が、絵の具に対して、照射される。そして、照射された光が絵の具により反射され、この反射された光が入射光として分光部４１に入射する。
【０１１７】
なお、本工程＜３Ｂ−１＞における、絵の具に対する照明光の照射は、例えば、パレットの各部屋に対して、予め、複数の絵の具を、それぞれ独立して、出しておき、これら絵の具に対して、一括して照明光を照射することが好ましい。これにより、本工程＜３Ｂ−１＞〜＜３Ｂ−４＞による絵の具の撮像を、複数の絵の具について、一括して実施することができる。
【０１１８】
＜３Ｂ−２＞  次いで、分光制御部６０２は、記憶部１７に記憶されているＶ−λデータに基づいて、出射させる分光波長に対応する駆動電圧の電圧値（入力値）を取得する。そして、取得した電圧値を、分光部４１としてのファブリーペローエタロンフィルターの静電アクチュエーター４５に印加させるために指令信号を出力する（Ｓ７Ｂ）。
【０１１９】
これにより、絵の具から分光部４１に入射光として入射された光のうち、特定波長を有する光が出射光として、選択的に撮像素子２１側に向かって出射される。
【０１２０】
なお、分光制御部６０２は、分光部４１により特定波長を有する光を出射させるのに先立って、分光部４１のキャリブレーションを行う調整処理を施すことが好ましい。これにより、光源３１の分光スペクトルsrefを取得する。
【０１２１】
＜３Ｂ−３＞  次いで、分光画像取得部６０３は、撮像素子２１の作動を制御することで、分光部４１から出射光として出射された、特定波長を有する光を、分光画像として、撮像素子２１により取得する。すなわち、絵の具を反射した反射光のうち、特定波長を有する光における光量測定データ（受光量）を分光画像として、撮像素子２１により取得する。そして、分光画像取得部６０３は、取得された分光画像を、かかる分光画像に対応する測定波長すなわち特定波長とともに記憶部１７に記憶させる（Ｓ８Ｂ）。
【０１２２】
このような分光画像の取得方法では、分光部４１は、絵の具と撮像素子２１との間において、撮像素子２１の受光光の光軸上に配置される。これにより、分光部４１で絵の具により反射された光が有する特定波長の光のみが透過され、この特定波長における光の強度が分光画像として撮像素子２１により分光測定される。
【０１２３】
＜３Ｂ−４＞  次いで、１回目の特定波長を有する光における分光画像の取得の後に、１回目の特定波長とは異なる２回目の特定波長を有する光における分光画像の取得が必要か否かを、前記工程＜１Ｂ＞において、ユーザーによって選択された条件等に基づいて判定する。すなわち、１回目の特定波長とは異なる２回目の特定波長を有する光における分光画像を、続けて取得する必要があるのか否かを判定する（Ｓ９Ｂ）。
【０１２４】
この判定（Ｓ９Ｂ）において、２回目の特定波長を有する光における分光画像の取得の必要がある場合には、１回目の特定波長を有する光に代わり、２回目の特定波長を有する光について、前記工程＜３Ｂ−２＞〜本工程＜３Ｂ−４＞を繰り返して実施する。すなわち、静電アクチュエーター４５の固定電極４１２と可動電極４２２との間に印加させる電圧値を変化させて２回目の特定波長に設定した後、前記工程＜３Ｂ−２＞〜本工程＜３Ｂ−４＞を繰り返して実施する。これにより、２回目の特定波長を有する光における分光画像を取得する。このような２回目の特定波長、すなわち、異なる特定波長を有する光における分光画像の取得を、１、２〜ｎ回目まで、繰り返して実施する。上記の通り、前記工程＜３Ｂ−２＞〜本工程＜３Ｂ−４＞を繰り返して実施することで、分光情報を、分光画像に含まれる各画素に対応した、各特定波長と光強度との関係を示すスペクトル情報s(p)samとして得ることができる。
【０１２５】
一方、次の波長を有する光における分光画像を取得する必要がない場合には、分光計測部１０による分光画像の取得を終了し、次工程＜４Ｂ＞に移行する。
【０１２６】
＜４Ｂ＞  次いで、算出処理部６０４は、記憶部１７に記憶された、測定対象Ｘならびに絵の具の分光画像および測定波長、すなわち、スペクトル情報ssamならびにスペクトル情報s(p)samに基づいて、測定対象Ｘを構成する色が再現される絵の具の種類およびその調合量（％）を特定する。
【０１２７】
換言すれば、算出処理部６０４は、前記工程＜２Ｂ＞において記憶部１７に記憶された、スペクトル情報ssamならびに前記工程＜３Ｂ＞において記憶部１７に記憶された、スペクトル情報s(p)samを取得する。その後、これらスペクトル情報ssamならびにスペクトル情報s(p)samを、分光情報として用い、スペクトル情報ssamとスペクトル情報s(p)samとを比較する算出処理を実施することで、測定対象Ｘを構成する色が再現される絵の具の種類およびその調合量（％）を特定する。
【０１２８】
＜４Ｂ−１＞  まず、算出処理部６０４は、スペクトル情報ssamと、光源３１の分光スペクトルsrefとから、測定対象Ｘの反射率r=ssam/srefを算出する。そして、測定対象Ｘが撮像された撮像領域をＭ行Ｎ列の画素毎に分割することで、Ｍ×Ｎ個に分割された各領域(i=1,…,M),(j=1,…,N)に対応したデータrijを算出する。さらに、このデータrijにおいて、同一の色であると判断されるものと、そうでないものとでグループ（群）分けをすることで測定対象Ｘを構成する色の選定を行い、これらのうちの１つを第１の色として選択するとともに、この第１の色に対応するデータrij(i=MA),(j=NA)を取得する。
【０１２９】
＜４Ｂ−２＞  次いで、算出処理部６０４は、スペクトル情報s(p)samと、光源３１の分光スペクトルsrefとから、測定対象Ｘの反射率r(p)=s(p)sam/srefを算出する。そして、絵の具が撮像された撮像領域をＭ行Ｎ列の画素毎に分割することで、Ｍ×Ｎ個に分割された各領域(i=1,…,M),(j=1,…,N)において、各絵の具が対応する位置の選定を行い、その位置の分光情報を取得することで、パレットに出された各色の絵の具に対応する分光情報すなわちデータei (i=1,…,M)を取得する。その後、第１の色に対応するデータrij(i=MA),(j=NA)を、絵の具のデータeiを用いて調色する（Ｓ１０Ｂ）。
【０１３０】
より具体的には、まず、図８に示す、得られたデータei (i=1,…,M)およびデータrij(i=MA),(j=NA)を、測定対象Ｘを構成する色を特定するのに適した判別空間へ、投影する。
【０１３１】
そして、投影されたデータei (i=1,…,M)およびデータrij(i=MA),(j=NA)について、下記式（１）において、データrij(i=MA),(j=NA)を、データei (i=1,…,M)を用いて近似できるようにαi(i=1,…,M)の値を決定する。
【０１３２】
-log｛rij(i=MA),(j=NA)｝
= α1log(e1) + α2log(e2) +…αMlog(eM)      …    式（１）
【０１３３】
なお、各αi(i=1,…,M)の値の近似方法としては、例えば、二乗誤差を用いた手法の他、相互相関、遺伝的アルゴリズム（ＧＡ）、ソルバー、スパースモデリング等を用いた手法を用いることができる。
【０１３４】
この式（１）を用いたαi(i=1,…,M)の値の近似において、αの値が０超のものが第１の色を調色する際に用いられる絵の具として選択され、この際のαの値がその絵の具の調合量（％）を表しており、これにより、測定対象Ｘを構成する色の１つである第１の色を、再現するために選択された絵の具の種類およびその調合量（％）が特定される。
【０１３５】
以上の通り、本工程＜４Ｂ＞では、測定対象Ｘを構成する色の１つである第１の色の絵の具を調色することによる再現を、スペクトル情報すなわち分光情報を用いることで行っている。そのため、前述の通り、光の三原色ＲＧＢを用いた場合のように、第１の色を、光の三原色ＲＧＢに圧縮した時点で、実際の第１の色とは異なった色となること、さらには、色材の三原色ＣＭＹＫが光の三原色ＲＧＢよりも狭領域になること等に起因して、絵の具を用いた第１の色の再現性が低下するのを防止することができる。
【０１３６】
＜５Ｂ＞  次いで、算出処理部６０４は、前記工程＜４Ｂ＞において、式（１）を用いて算出された、絵の具の種類およびその調合量（％）により調色される第１の色の再現度、すなわち、近似値に基づいて、第１の色の絵の具を用いた再現に、他の絵の具の組み合わせを用いた調色について、改めて実施する必要があるのか否かを、閾値を設けることで判定する（Ｓ１１Ｂ）
【０１３７】
この判定（Ｓ１１Ｂ）において、他の絵の具の組み合わせを用いた調色について実施する必要がある場合には、１回目の第１の色の絵の具を用いた再現に代わり、２回目の第１の色の絵の具を用いた再現を、１回目とは異なる手持ちの絵の具の組み合わせについて、前記工程＜４Ｂ＞、本工程＜５Ｂ＞を繰り返して実施する。すなわち、１回目とは異なる絵の具の組み合わせとなっている複数の絵の具を用意し、これらの絵の具を用いた場合の第１の色の調色を、前記工程＜４Ｂ＞、本工程＜５Ｂ＞を繰り返すことで実施する。これにより、２回目の第１の色の絵の具を用いた再現が実施される。このような２回目の第１の色の絵の具を用いた再現を、第１の色の近似値が閾値以下となるまで、１、２〜ｎ回目と繰り返して実施する。これにより、第１の色の絵の具を用いた再現を、設定された閾値以上の再現性すなわち近似性をもって、実施することができる。換言すれば、第１の色の絵の具を用いた再現を、優れた精度で実施することができる。
【０１３８】
なお、第１の色を再現することができる絵の具の組み合わせ、すなわち、絵の具の種類およびその調合量（％）の提示は、１つの組み合わせについて提示すればよいが、２つ以上の組み合わせについて提示するように設定することもできる。
【０１３９】
一方、判定（Ｓ１１Ｂ）において、他の絵の具の組み合わせを用いた調色について実施する必要がない場合には、次工程＜６Ｂ＞に移行する。
【０１４０】
＜６Ｂ＞  次いで、表示制御部６０５は、算出処理部６０４で特定された、測定対象Ｘを構成する色の１つである第１の色を再現することができる絵の具の組み合わせに関する情報を可視化画像として作成し、その後、この可視化画像を、表示部１５を備えるディスプレイ７０に表示させる（Ｓ１２Ｂ）。
【０１４１】
この可視化画像として、ディスプレイ７０に表示させる情報としては、第１の色を再現することができる絵の具の種類およびその調合量（％）等が挙げられ、この絵の具の種類およびその調合量（％）については、１つの組み合わせについて提示すればよいが、前記工程＜４Ｂ＞、＜５Ｂ＞において、２つ以上の組み合わせについて特定されている場合には、２つ以上の組み合わせについて提示してもよい。
【０１４２】
以上のような、工程＜１Ｂ＞〜工程＜６Ｂ＞を経ることで、スマートフォン１を用いて、測定対象Ｘを構成する色のうちの１つである第１の色を再現することができる手持ちの絵の具の種類およびその調合量（％）が特定される。なお、前記工程＜４Ｂ−１＞において、測定対象Ｘを構成する色として、第１の色とは異なる第２の色が存在する場合には、第２の色に対応するデータrij(i=MＢ),(j=NＢ)を取得し、このデータrij(i=MＢ),(j=NＢ)に基づいて、工程＜４Ｂ＞〜工程＜６Ｂ＞を実施することで、第２の色を再現することができる絵の具の種類およびその調合量（％）が特定される。そして、測定対象Ｘを構成する色が第ｎの色まで存在する場合には、これらの工程＜４Ｂ＞〜工程＜６Ｂ＞の繰り返しを、ｎ回実施することで、測定対象Ｘを構成する第１の色〜第ｎの色を、絵の具を用いて再現することができる。
【０１４３】
よって、ユーザーは、測定対象Ｘを構成する色を再現するために特定された絵の具を手持ちのもののなかから選択し、これらの絵の具を提示された調合量（％）に基づいて、混ぜ合わせることで、測定対象Ｘを構成する色を調色することができる。
【０１４４】
なお、上述した１）入手すべき絵の具の色材選択方法と、２）手持ちの絵の具のうち用いるべきものを指定する色材選択方法とは、組み合わせて実施することもできる。この場合、まず、２）の色材選択方法を先に実施させる。そして、手持ちの絵の具では、色の再現を行い得ない場合に、１）の色材選択方法を実施して、手持ちの絵の具と入手すべき絵の具とで、色の再現を行う。これにより、不足している絵の具を入手することで、色の再現を実施することができ、手持ちの絵の具を有効に使用できることから、無駄な絵の具を入手してしまうのを的確に防止することができる。
【０１４５】
また、スマートフォン１を用いた、測定対象Ｘを構成する色の色材による調色は、上記のように、色材として絵の具を用いた場合に限らず、例えば、ペンキ、車両のボディー用塗料、被服用着色剤または染色剤、マニュキュアのようなネイル用色材、チーク、口紅、アイシャドー、ファンデーション、ボディーペイントおよび毛染め剤等の色材を用いて測定対象Ｘを構成する色を調色する場合、すなわち、複数の色材を混ぜ合わせて測定対象Ｘを構成する色を調色する場合にも適用することができる。
【０１４６】
さらに、本実施形態では、分光情報として、測定対象Ｘの反射率を用いて、測定対象Ｘを構成する色の再現を実施する場合について説明したが、これに限定されず、例えば、測定対象Ｘの透過率、吸光度や、クベルカ・ムンク変換データ等を分光情報として用いた場合においても、測定対象Ｘを構成する色の再現を実施することが可能である。
【０１４７】
また、本実施形態では、分光計測部１０は、分光カメラとして、光源３１と、分光部４１と、撮像素子２１とを備える場合について説明したが、分光計測部１０は、これらのうち、光源３１が省略されたものであってもよい。この場合、分光計測部１０は、分光計測部１０により分光画像を撮像する際に、測定対象Ｘに対する光の照射は、太陽や室内照明等の外光により実施される。
【０１４８】
さらに、本実施形態では、本発明の調合データ作成システムが、情報端末単独で完結しているものとして、スマートフォン１を一例にして説明したが、このような情報端末としては、スマートフォン１に限定されず、例えば、タブレット端末、ノート型パソコン、デジタルカメラ、デジタルビデオカメラ、車載用のモニター、ドライブレコーダー等であってもよい。なお、本実施形態のように、本発明の調合データ作成システムを、情報端末単独で完結している構成のものとすることで、オフラインでの使用を実現することが可能であるため、通信状況が不安定な場所であっても利用可能となる。
【０１４９】
また、本実施形態では、入力部１６がタッチパネルで構成される場合について説明したが、これに限定されず、入力部１６は、スマートフォン１の筐体に設けられた操作用ボタンであってもよいし、スマートフォン１が備えるマイクを介して音声により入力がなされるものであってもよいし、これらが組み合わされたものであってもよい。
【０１５０】
＜＜第２実施形態＞＞
次に、本発明の調合データ作成システムの第２実施形態について説明する。
【０１５１】
図１０は、本発明の調合データ作成システムの第２実施形態が適用されたスマートフォンと分光計測部との概略構成を示すブロック図である。
【０１５２】
以下、第２実施形態の調合データ作成システムについて、前記第１実施形態の調合データ作成システムとの相違点を中心に説明し、同様の事項については、その説明を省略する。
【０１５３】
図１０に示す第２実施形態の調合データ作成システムは、情報端末としてのスマートフォン１の他に、さらに分光計測部１０を独立して備え、この分光計測部１０が分光カメラとしての機能を発揮すること以外は、前記第１実施形態の調合データ作成システムと同様である。すなわち、第２実施形態の調合データ作成システムでは、本発明の調合データ作成システムが、情報端末であるスマートフォン１単独で完結することなく、情報端末としてのスマートフォン１と、分光カメラとしての分光計測部１０とを有している。
【０１５４】
第２実施形態の調合データ作成システムでは、図１０に示すように、スマートフォン１は、内部における分光計測部１０の配置が省略されており、これに代えて、分光計測部１０は、分光カメラとしてスマートフォン１の外部に独立して設けられており、その作動がスマートフォン１により制御可能なように構成されている。なお、スマートフォン１と分光計測部１０との電気的な接続による、スマートフォン１による分光計測部１０の制御は、有線および無線のいずれであってもよい。
【０１５５】
かかる構成の第２実施形態の調合データ作成システムでは、分光計測部１０による測定対象Ｘを含む画像の取得と、スマートフォン１による測定対象Ｘを構成する色を再現するための条件の設定等の操作とを、独立して実施することができる。そのため、調合データ作成システムの操作性の向上を図ることができる。
【０１５６】
また、スマートフォン１に、アプリケーションをインストールするとともに、分光計測部１０を接続することで、本発明の調合データ作成システムを利用することができ、分光計測部１０を備えないスマートフォン１を用い得るため汎用性に優れる。
【０１５７】
さらに、本発明の調合データ作成システムを、スマートフォン１と分光計測部１０とで完結している構成のものとすることで、スマートフォン１と分光計測部１０との通信以外は、オフラインでの使用が可能であるため、通信状況が不安定な場所であっても利用可能となる。
【０１５８】
このような第２実施形態の調合データ作成システムによっても、前記第１実施形態と同様の効果が得られる。
【０１５９】
また、本実施形態では、本発明の調合データ作成システムが、情報端末としてのスマートフォン１と、分光カメラとしての分光計測部１０とを有する場合について説明したが、本発明の調合データ作成システムは、スマートフォン１に代えて、情報端末がタブレット端末等で構成されていてもよいし、スマートフォン１すなわち情報端末がサーバー等で構成されるものであってもよい。
【０１６０】
＜＜第３実施形態＞＞
次に、本発明の調合データ作成システムの第３実施形態について説明する。
【０１６１】
図１１は、本発明の調合データ作成システムの第３実施形態が適用されたスマートフォンと外部表示部との概略構成を示すブロック図である。
【０１６２】
以下、第３実施形態の調合データ作成システムについて、前記第１実施形態の調合データ作成システムとの相違点を中心に説明し、同様の事項については、その説明を省略する。
【０１６３】
図１１に示す第３実施形態の調合データ作成システムは、情報端末としてのスマートフォン１の他に、さらに外部表示部１８を独立して備え、この外部表示部１８がスマートフォン１の外部の表示部としての機能を発揮すること以外は、前記第１実施形態の調合データ作成システムと同様である。すなわち、第３実施形態の調合データ作成システムでは、本発明の調合データ作成システムが、情報端末であるスマートフォン１単独で完結することなく、情報端末としてのスマートフォン１と、外部表示部１８とを有している。
【０１６４】
第３実施形態の調合データ作成システムは、図１１に示すように、スマートフォン１が備える表示部１５の他に、さらに、スマートフォン１の外部に独立して設けられた外部表示部１８を備えており、外部表示部１８の作動がスマートフォン１により制御可能なように構成されている。なお、スマートフォン１と外部表示部１８との電気的な接続による、スマートフォン１による外部表示部１８の制御は、有線および無線のいずれであってもよい。
【０１６５】
かかる構成の第３実施形態の調合データ作成システムでは、外部表示部１８における画像の操作者による確認と、スマートフォン１による測定対象Ｘを構成する色を再現するための条件の設定等の操作とを、独立して実施することができるため、調合データ作成システムの操作性の向上を図ることができる。
【０１６６】
また、本発明の調合データ作成システムを、スマートフォン１と外部表示部１８とで完結している構成のものとすることで、スマートフォン１と外部表示部１８との通信以外は、オフラインでの使用が可能であるため、通信状況が不安定な場所であっても利用可能となる。
【０１６７】
また、外部表示部１８としては、モバイルノートＰＣ、タブレット端末およびヘッドアップディスプレイ（ＨＵＤ）、ヘッドマウントディスプレイ（ＨＭＤ）等が挙げられるが、中でも、ヘッドマウントディスプレイであることが好ましい。ヘッドマウントディスプレイによれば、拡張現実（ＡＲ）において、例えば、測定対象Ｘを構成する色を再現するための色材の種類およびその調合量（％）を、測定対象Ｘに対応させて表示することができ、さらに、ハンズフリーでの利用が可能であるため、調合データ作成システムの操作性の更なる向上を図ることができる。
【０１６８】
このような第３実施形態の調合データ作成システムによっても、前記第１実施形態と同様の効果が得られる。
【０１６９】
＜＜第４実施形態＞＞
次に、本発明の調合データ作成システムの第４実施形態について説明する。
【０１７０】
図１２は、本発明の調合データ作成システムの第４実施形態が適用されたスマートフォンと分光計測部と外部表示部との概略構成を示すブロック図である。
【０１７１】
以下、第４実施形態の調合データ作成システムについて、前記第１実施形態の調合データ作成システムとの相違点を中心に説明し、同様の事項については、その説明を省略する。
【０１７２】
図１２に示す第４実施形態の調合データ作成システムは、情報端末としてのスマートフォン１の他に、さらに分光計測部１０と外部表示部１８とを独立して備え、分光計測部１０が分光カメラとしての機能を発揮し、外部表示部１８がスマートフォン１の外部の表示部としての機能を発揮すること以外は、前記第１実施形態の調合データ作成システムと同様である。すなわち、第３実施形態の調合データ作成システムでは、本発明の調合データ作成システムが、情報端末であるスマートフォン１単独で完結することなく、情報端末としてのスマートフォン１と、分光計測部１０と、外部表示部１８とを有している。
【０１７３】
第４実施形態の調合データ作成システムでは、図１２に示すように、スマートフォン１は、内部における分光計測部１０の配置が省略されており、これに代えて、分光計測部１０は、分光カメラとしてスマートフォン１の外部に独立して設けられており、その作動がスマートフォン１により制御可能なように構成されている。さらに、スマートフォン１が備える表示部１５の他に、さらに、スマートフォン１の外部に独立して設けられた外部表示部１８を備えており、外部表示部１８の作動がスマートフォン１により制御可能なように構成されている。
【０１７４】
なお、スマートフォン１と分光計測部１０との電気的な接続による、スマートフォン１による分光計測部１０の制御、ならびに、スマートフォン１と外部表示部１８との電気的な接続による、スマートフォン１による外部表示部１８の制御は、それぞれ、有線および無線のいずれであってもよい。
【０１７５】
かかる構成の第４実施形態の調合データ作成システムでは、分光計測部１０による測定対象Ｘを含む画像の取得と、外部表示部１８における画像の操作者による確認と、スマートフォン１による測定対象Ｘを構成する色を再現するための条件の設定等の操作とを、独立して実施することができるため、調合データ作成システムの操作性の向上を図ることができる。
【０１７６】
また、スマートフォン１に、アプリケーションをインストールするとともに、分光計測部１０と外部表示部１８とを接続することで、本発明の調合データ作成システムを利用することができ、分光計測部１０を備えないスマートフォン１を用い得るため汎用性に優れる。
【０１７７】
さらに、本発明の調合データ作成システムを、スマートフォン１と分光計測部１０と外部表示部１８とで完結している構成のものとすることで、スマートフォン１と分光計測部１０と外部表示部１８との通信以外は、オフラインでの使用が可能であるため、通信状況が不安定な場所であっても利用可能となる。
【０１７８】
また、外部表示部１８としては、モバイルノートＰＣ、タブレット端末およびヘッドアップディスプレイ（ＨＵＤ）、ヘッドマウントディスプレイ（ＨＭＤ）等が挙げられるが、中でも、ヘッドマウントディスプレイであることが好ましい。ヘッドマウントディスプレイによれば、拡張現実（ＡＲ）において、例えば、測定対象Ｘを構成する色を再現するための色材の種類およびその調合量（％）を、測定対象Ｘに対応させて表示することができ、さらに、ハンズフリーでの利用が可能であるため、調合データ作成システムの操作性の更なる向上を図ることができる。
【０１７９】
このような第４実施形態の調合データ作成システムによっても、前記第１実施形態と同様の効果が得られる。
【０１８０】
また、本実施形態では、本発明の調合データ作成システムが、情報端末としてのスマートフォン１と、分光カメラとしての分光計測部１０と、ヘッドマウントディスプレイのような外部表示部１８とを有する場合について説明したが、本発明の調合データ作成システムは、スマートフォン１に代えて、情報端末としてタブレット端末等を備えるものであってもよいし、スマートフォン１すなわち情報端末に代えて、サーバー等を備えるものであってもよい。
【０１８１】
また、本実施形態では、本発明の調合データ作成システムは、図１２に示すように、分光計測部１０と外部表示部１８とを別体として独立して備える場合について示したが、これに限定されず、分光計測部１０と外部表示部１８とは、一体的に形成されたものであってもよい。
【０１８２】
＜＜第５実施形態＞＞
次に、本発明の調合データ作成システムの第５実施形態について説明する。
【０１８３】
図１３は、本発明の調合データ作成システムの第５実施形態が適用されたスマートフォンとサーバーとの概略構成を示すブロック図である。
【０１８４】
以下、第５実施形態の調合データ作成システムについて、前記第１実施形態の調合データ作成システムとの相違点を中心に説明し、同様の事項については、その説明を省略する。
【０１８５】
図１３に示す第５実施形態の調合データ作成システムは、情報端末としてのスマートフォン１の他に、さらにサーバー１００を独立して備えること以外は、前記第１実施形態の調合データ作成システムと同様である。すなわち、第５実施形態の調合データ作成システムでは、本発明の調合データ作成システムが、情報端末であるスマートフォン１単独で完結することなく、情報端末としてのスマートフォン１と、サーバー１００とを有している。
【０１８６】
第５実施形態の調合データ作成システムでは、図１３に示すように、スマートフォン１は、さらに、送受信部１９を有しており、また、制御部６０において、この送受信部１９の作動を制御する送受信制御部６０６を有している。
【０１８７】
また、サーバー１００は、記憶部１１７と、送受信部１１９と、制御部１６０とを有し、制御部１６０は、記憶部１１７および送受信部１１９の作動を、それぞれ、制御するデータ取得部１６１および送受信制御部１６２を有している。
【０１８８】
このような本実施形態の調合データ作成システムにおいて、スマートフォン１が備える記憶部１７では、測定対象Ｘを構成する色を調色するために用いられる絵の具の分光情報を含むデータベースの記憶が省略されており、これに代えて、サーバー１００が備える記憶部１１７に、このデータベースが記憶されている。
【０１８９】
そして、スマートフォン１が備える送受信部１９と、サーバー１００が備える送受信部１１９とは、データベースの受け渡しを実施する。すなわち、送受信部１９は、送受信部１１９に記憶部１１７からのデータベースの取得要請を送信し、サーバー１００から送受信部１１９を介してデータベースを受信する。また、送受信部１１９は、送受信部１９による記憶部１１７からのデータベースの取得要請を受信し、スマートフォン１に送受信部１９を介してデータベースを送信する。なお、送受信部１９と送受信部１１９との間におけるデータベースの受け渡しは、有線および無線のいずれを介して実施するものであってもよく、また、無線の場合、インターネット経由で実施してもよい。
【０１９０】
また、スマートフォン１が制御部６０において備える送受信制御部６０６は、送受信部１９の作動を制御して、送受信部１１９を介して、サーバー１００からデータベースを受け取り、算出処理部６０４は、送受信制御部６０６から、このデータベースを受け取り、これに基づいて測定対象Ｘを構成する色の再現を実施する。
【０１９１】
さらに、サーバー１００が制御部１６０において備えるデータ取得部１６１は、取得要請に応じて記憶部１１７に記憶されたデータベースを取得した後に、送受信制御部１６２に受け渡す。そして、送受信制御部１６２は、送受信部１１９の作動を制御して、送受信部１９を介して、サーバー１００からスマートフォン１に、このデータベースを受け渡す。
【０１９２】
かかる構成の第５実施形態の調合データ作成システムでは、調合データ作成システムが情報端末であるスマートフォン１単独で完結することなく、さらに、サーバー１００を備え、このサーバー１００が有する記憶部１１７において、データベースが保存され、このデータベースが測定対象Ｘを構成する色の再現を実施する際に、送受信部１９、１１９を介してスマートフォン１に、送信されるようになっている。これにより、スマートフォン１が備える記憶部１７に大量のデータを記憶させる必要がなくなると言う利点が得られる。また、調合データ作成システムが、複数のスマートフォン１を備える場合、データベースの共有化を図ることができる。さらに、サーバー１００の記憶部１１７が備えるデータベースをアップデートするだけで、結果的に、各スマートフォン１で利用するデータベースを最新のものとし得る。
【０１９３】
さらに、本発明の調合データ作成システムにおいて、スマートフォン１による測定対象Ｘを構成する色の再現をオフライン時に実施する場合には、オフライン時に、必要となるデータベースをサーバー１００が備える記憶部１１７からスマートフォン１が備える記憶部１７に記憶させておくようにすればよい。これにより、オフライン時であっても、スマートフォン１による測定対象Ｘを構成する色の再現を実施することができる。
【０１９４】
このような第５実施形態の調合データ作成システムによっても、前記第１実施形態と同様の効果が得られる。
【０１９５】
また、本実施形態では、本発明の調合データ作成システムが、情報端末としてのスマートフォン１と、サーバー１００とを有する場合について説明したが、本発明の調合データ作成システムは、スマートフォン１に代えて、情報端末がタブレット端末等で構成されていてもよいし、スマートフォン１すなわち情報端末がデジタルカメラ、デジタルビデオカメラ、ヘッドアップディスプレイ（ＨＵＤ）、ヘッドマウントディスプレイ（ＨＭＤ）等で構成されるものであってもよい。
【０１９６】
さらに、本実施形態では、スマートフォン１が備える制御部６０は、前記第１実施形態と同様に、光源制御部６０１と、分光制御部６０２と、分光画像取得部６０３と、算出処理部６０４と、表示制御部６０５とを備えることとしたが、これらのうちの少なくとも１つは、サーバー１００が有する制御部１６０が備えるものであってもよい。
【０１９７】
＜＜第６実施形態＞＞
次に、本発明の調合データ作成システムの第６実施形態について説明する。
【０１９８】
図１４は、本発明の調合データ作成システムの第６実施形態が適用されたスマートフォンとサーバーとの概略構成を示すブロック図である。
【０１９９】
以下、第６実施形態の調合データ作成システムについて、前記第１実施形態の調合データ作成システムとの相違点を中心に説明し、同様の事項については、その説明を省略する。
【０２００】
図１４に示す第６実施形態の調合データ作成システムは、情報端末としてのスマートフォン１の他に、さらにサーバー１００を独立して備えること以外は、前記第１実施形態の調合データ作成システムと同様である。すなわち、第６実施形態の調合データ作成システムでは、本発明の調合データ作成システムが、情報端末であるスマートフォン１単独で完結することなく、情報端末としてのスマートフォン１と、サーバー１００とを有している。
【０２０１】
第６実施形態の調合データ作成システムでは、図１４に示すように、スマートフォン１は、記憶部および制御部６０における算出処理部を有しておらず、これに対して、スマートフォン１は、さらに、送受信部１９を有しており、また、制御部６０において、この送受信部１９の作動を制御する送受信制御部６０６を有している。
【０２０２】
また、サーバー１００は、記憶部１１７と、送受信部１１９と、制御部１６０とを有し、制御部１６０は、記憶部１１７および送受信部１１９の作動を、それぞれ、制御するデータ取得部１６１および送受信制御部１６２と、測定対象Ｘを構成する色の再現を実施する算出処理部１６３とを有している。
【０２０３】
このような本実施形態の調合データ作成システムにおいて、スマートフォン１における記憶部の配置が省略され、これに代えて、サーバー１００が記憶部１１７を備えている。この記憶部１１７は、前記第１実施形態のスマートフォン１が備える記憶部１７と同様に、各種データが記憶されている。
【０２０４】
また、スマートフォン１が備える制御部６０における算出処理部の配置が省略され、これに代えて、サーバー１００が備える制御部１６０が算出処理部１６３を備えている。この算出処理部１６３は、前記第１実施形態のスマートフォン１が備える算出処理部６０４と同様に、測定対象Ｘの分光スペクトルすなわち分光情報と、データベースとを比較することで、測定対象Ｘを構成する色の再現を実施する。
【０２０５】
そして、スマートフォン１が備える送受信部１９と、サーバー１００が備える送受信部１１９とは、各種データの受け渡しを実施する。具体的には、例えば、送受信部１９は、スマートフォン１で取得した測定対象Ｘの分光情報すなわち分光スペクトルを送受信部１１９に送信し、サーバー１００から送受信部１１９を介して測定対象Ｘを構成する色を再現するための色材の種類およびその調合量（％）を受信する。また、送受信部１１９は、スマートフォン１で取得した測定対象Ｘの分光情報すなわち分光スペクトルを、スマートフォン１から送受信部１９を介して受信し、スマートフォン１に、送受信部１９を介して、測定対象Ｘを構成する色を再現するための色材の種類およびその調合量（％）を送信する。なお、送受信部１９と送受信部１１９との間における各種データの受け渡しは、有線および無線のいずれを介して実施するものであってもよく、また、無線の場合、インターネット経由で実施してもよい。
【０２０６】
また、スマートフォン１が制御部６０において備える送受信制御部６０６は、送受信部１９の作動を制御して、分光画像取得部６０３で取得した、測定対象Ｘの分光スペクトルすなわち分光情報を、送受信部１１９を介して、サーバー１００が備える算出処理部１６３に送信する。そして、算出処理部１６３は、データ取得部１６１の作動を制御することにより記憶部１１７に記憶されたデータベースを取得し、その後、分光情報とデータベースとを比較することで、測定対象Ｘを構成する色の再現を実施する。
【０２０７】
さらに、サーバー１００が制御部１６０において備える送受信制御部１６２は、送受信部１１９の作動を制御して、送受信部１９を介して、サーバー１００からスマートフォン１に、算出処理部１６３による測定対象Ｘを構成する色を再現するための色材の種類およびその調合量（％）を受け渡す。
【０２０８】
かかる構成の第６実施形態の調合データ作成システムでは、調合データ作成システムが情報端末であるスマートフォン１単独で完結することなく、さらに、サーバー１００を備え、このサーバー１００が有する記憶部１１７において、データベースが保存される。そして、サーバー１００が有する算出処理部１６３において、このデータベースに基づいて測定対象Ｘを構成する色を再現するための色材の種類およびその調合量（％）の特定が行われ、その後、送受信部１９、１１９を介してスマートフォン１に、測定対象Ｘを構成する色を再現するための色材の種類およびその調合量（％）が送信されるようになっている。これにより、スマートフォン１が備える記憶部に大量のデータを記憶させる必要がなくなり、さらに、スマートフォン１に、大きな計算負荷を掛ける必要がなくなると言う利点が得られる。また、算出処理部１６３を処理能力に優れたものとし、さらに、記憶部１１７に記憶されるデータベースの情報量をより詳細なものとすることで、測定対象Ｘを構成する色を再現するための色材の種類およびその調合量（％）をより高精度に特定することが可能となる。
【０２０９】
また、調合データ作成システムが、複数のスマートフォン１を備える場合、データベースの共有化を図ることができる。さらに、サーバー１００の記憶部１１７が備えるデータベースをアップデートするだけで、結果的に、各スマートフォン１で利用するデータベースを最新のものとし得る。
【０２１０】
このような第６実施形態の調合データ作成システムによっても、前記第１実施形態と同様の効果が得られる。
【０２１１】
また、本実施形態では、本発明の調合データ作成システムが、情報端末としてのスマートフォン１と、サーバー１００とを有する場合について説明したが、本発明の調合データ作成システムは、スマートフォン１に代えて、情報端末がタブレット端末等で構成されていてもよいし、スマートフォン１すなわち情報端末がデジタルカメラ、デジタルビデオカメラ、ヘッドアップディスプレイ（ＨＵＤ）、ヘッドマウントディスプレイ（ＨＭＤ）等で構成されるものであってもよい。
【０２１２】
さらに、本実施形態では、スマートフォン１が備える制御部６０は、前記第１実施形態と同様に、光源制御部６０１と、分光制御部６０２と、分光画像取得部６０３と、表示制御部６０５とを備えることとしたが、これらのうちの少なくとも１つは、サーバー１００が有する制御部１６０が備えるものであってもよい。
【０２１３】
以上、本発明の調合データ作成システムおよび色材選択方法を、図示の実施形態に基づいて説明したが、本発明はこれらに限定されるものでない。
【０２１４】
例えば、本発明の調合データ作成システムにおいて、各構成は、同様の機能を発揮し得る任意のものと置換することができ、あるいは、任意の構成のものを付加することができる。
【０２１５】
また、本発明の調合データ作成システムでは、前記第１〜第６実施形態で示した任意の２以上の構成を組み合わせるようにしてもよい。
また、本発明の色材選択方法において、任意の工程が追加されたものであってもよい。
【符号の説明】
【０２１６】
１…スマートフォン、１０…分光計測部、１５…表示部、１６…入力部、１７…記憶部、１８…外部表示部、１９…送受信部、２１…撮像素子、３１…光源、４１…分光部、４５…静電アクチュエーター、５１…回路基板、５２…回路基板、６０…制御部、７０…ディスプレイ、８１…第１分光部側光学系、８３…第１撮像素子側光学系、１００…サーバー、１１７…記憶部、１１９…送受信部、１６０…制御部、１６１…データ取得部、１６２…送受信制御部、１６３…算出処理部、４１０…固定基板、４１１…固定反射膜、４１２…固定電極、４１３…溝、４１４…接合膜、４１５…反射膜設置部、４２０…可動基板、４２１…可動反射膜、４２２…可動電極、４２３…溝、４２５…反射膜設置部、６０１…光源制御部、６０２…分光制御部、６０３…分光画像取得部、６０４…算出処理部、６０５…表示制御部、６０６…送受信制御部、８１１…入射レンズ、８１２…投射レンズ、８３１…入出射レンズ、Ｘ…測定対象
【図１】
2020122679.tif 000003
【図２】
2020122679.tif 000004
【図３】
2020122679.tif 000005
【図４】
2020122679.tif 000006
【図５】
2020122679.tif 000007
【図６】
2020122679.tif 000008
【図７】
2020122679.tif 000009
【図８】
2020122679.tif 000010
【図９】
2020122679.tif 000011
【図１０】
2020122679.tif 000012
【図１１】
2020122679.tif 000013
【図１２】
2020122679.tif 000014
【図１３】
2020122679.tif 000015
【図１４】
2020122679.tif 000016